(57)【特許請求の範囲】
【請求項１】
対象物の位相コントラスト画像を生成するための回転Ｘ線装置であって、
ａ）少なくとも２つのＸ線源と、
ｂ）前記Ｘ線源にさらされる、ＤＯＥと呼ばれる回折光学素子と、
ｃ）前記ＤＯＥによって生成される干渉パターンを検出するためのＸ線検出器と、
ｄ）前記ＤＯＥの周期に対応する、前記Ｘ線検出器の空間感度を調節するために前記Ｘ線検出器の前に配置されるアナライザとを有し、
前記Ｘ線源と、前記Ｘ線検出器と、前記ＤＯＥ又は前記アナライザのいずれか一方とが、前記対象物が置かれることができる中心領域に対して回転軸周りに同調して回転可能であり、
前記ＤＯＥ及び前記アナライザが、前記回転軸周りに互いに対して回転されるときに変化する相対位相及び／又は周期を持つ、Ｘ線装置。
【請求項２】
前記Ｘ線検出器がＸ線感受性素子のアレイを有する、請求項１に記載のＸ線装置。
【請求項３】
前記ＤＯＥが位相格子を有する、請求項１に記載のＸ線装置。
【請求項４】
前記アナライザが吸収格子を有する、請求項１に記載のＸ線装置。
【請求項５】
前記ＤＯＥと前記アナライザが同一又は同様の光学的パターンを有し、そのうちの少なくとも一方は前記回転軸に垂直な面に対して傾斜される、請求項１に記載のＸ線装置。
【請求項６】
前記ＤＯＥ又は前記アナライザがリング上で前記回転軸周りに円周方向にのびる、請求項１に記載のＸ線装置。
【請求項７】
前記Ｘ線源が、前記リングに対して軸方向にシフトされて、及び／又は前記リングの内部に配置される、請求項６に記載のＸ線装置。
【請求項８】
前記Ｘ線源が前記回転軸周りの円弧上に配置される、請求項１に記載のＸ線装置。
【請求項９】
少なくとも１つのＸ線源がカーボンナノチューブを備える少なくとも１つのカソードを有する、請求項１に記載のＸ線装置。
【請求項１０】
第一及び第二のＸ線源がそれぞれ前記中心領域に対する所定位置を通過するときにＸ線被爆の収集を引き起こすための制御装置を有する、請求項１に記載のＸ線装置。
【請求項１１】
前記Ｘ線源のうちの少なくとも１つが、格子の前に配置される空間的に広がった放射体を有する、請求項１に記載のＸ線装置。
【請求項１２】
前記Ｘ線源から前記Ｘ線検出器へのＸ線の経路において対象物によって生じる位相シフトを決定するための評価装置を有する、請求項１に記載のＸ線装置。
【請求項１３】
前記評価装置が、対象物の断面位相コントラスト画像及び／又は吸収画像を、異なる方向からとられる前記対象物の投影から再構成するための再構成モジュールを有する、請求項１２に記載のＸ線装置。
【請求項１４】
対象物の位相コントラスト画像を生成するための方法であって、
ａ）複数のＸ線源から第一のＸ線源で前記対象物を照射するステップと、
ｂ）前記対象物の後ろのＤＯＥと呼ばれる回折光学素子で干渉パターンを生成するステップと、
ｃ）Ｘ線検出器を用いて、前記ＤＯＥの周期に対応する、前記検出器の空間感度を調節するアナライザを通して、前記干渉パターンをサンプリングするステップと、
ｄ）前記複数のＸ線源と、前記Ｘ線検出器と、前記ＤＯＥ又は前記アナライザのいずれか一方とを、前記対象物に対して回転軸周りに同調して回転させ、それによって前記ＤＯＥ及び前記アナライザの相対位相及び／又は周期を変化させるステップと、
ｅ）前記複数のＸ線源のうちの第二のＸ線源を用いて、これが前記第一のＸ線源の前の位置をとるときに、ステップａ）からｃ）を繰り返すステップとを有する方法。
【請求項１５】
請求項１４に記載の方法を実行することを可能にするためのコンピュータプログラム。
【発明の詳細な説明】
【技術分野】
【０００１】
本発明は対象物の位相コントラストＸ線画像を生成するための方法及び回転Ｘ線装置に関する。さらに、本発明はかかる方法を組み込むコンピュータプログラムに関する。
【背景技術】
【０００２】
古典的なＸ線イメージングは対象物によって生じるＸ線の吸収を測定するが、一方位相コントラストイメージングは、対象物を通過する際にＸ線が受ける位相シフトの検出を目的とする。文献（Ｔ．Ｗｅｉｔｋａｍｐ  ｅｔ  ａｌ．，"Ｘ‐ｒａｙ  ｐｈａｓｅ  ｉｍａｇｉｎｇ  ｗｉｔｈ  ａ  ｇｒａｔｉｎｇ  ｉｎｔｅｒｆｅｒｏｍｅｔｅｒ"，Ｏｐｔｉｃｓ  Ｅｘｐｒｅｓｓ  １３（１６），２００５）に記載されている設計によれば、対象物が（コヒーレント）Ｘ線を照射される際に強度の最大値と最小値の干渉パターンを生成するために、位相格子が対象物の後ろに置かれる。対象物によって導入されるＸ線波における任意の位相シフトは、干渉パターンにいくらかの特徴的な変位を生じる。従ってこれらの変位を測定することは、関心のある対象物の位相シフトを再構成することを可能にする。
【０００３】
上記のアプローチの問題点は、既存のＸ線検出器の実現可能なピクセルサイズが、干渉パターンの最大値と最小値の間の距離よりも（かなり）大きいことである。従ってこれらのパターンは直接的に空間分解されることができない。この問題に対処するため、検出器ピクセルのすぐ前に吸収格子を使用することで、干渉パターンの小さな小区分のみを検出器のピクセルで見ることが提案されている。ピクセルに対して吸収格子をシフトすることで、干渉パターンの構造（すなわち対象物なしのデフォルトパターンからのずれ）を回復することを可能にする。しかしながら光学素子の必要な動きは、位相コントラストイメージングが医学的環境において適用される場合に必要とされるように、特に高速かつ高精度でなされる必要がある場合には、容易ではない機械的作業である。
【発明の概要】
【発明が解決しようとする課題】
【０００４】
この背景に基づいて、例えばコンピュータ断層撮影（ＣＴ）など、医用画像における応用に特に適した、対象物のＸ線位相コントラスト画像を生成するための手段を提供することが、本発明の目的であった。
【課題を解決するための手段】
【０００５】
この目的は、請求項１に記載の回転Ｘ線検出器、請求項１４に記載の方法、及び請求項１５に記載のコンピュータプログラムによって達成される。好ましい実施形態は従属請求項に開示される。
【０００６】
本発明にかかる回転Ｘ線装置は、対象物の位相コントラスト画像、すなわち、像点の値が対象物によって送信Ｘ線に誘導される位相シフトに関連し、一方像点の位置は対象物に空間的に関連する（例えば投影又は断面マッピングを介する）ような画像、の生成に役立つ。"回転"という語が示す通り、Ｘ線装置は、対象物と生成（投影）画像の視角の間の相対的回転が可能であるように設計されるものとする。Ｘ線装置は次の構成要素を有する。
ａ）Ｘ線を生成するための少なくとも２つのＸ線源。Ｘ線源は好ましくは選択的に制御可能である、すなわち、例えば連続的に及び／又は互いに独立して活性化されることができる。さらに、２つのみではなくそれ以上のＸ線源が利用可能であることが好ましく、典型的な数は３及び８のＸ線源の間にある。
ｂ）以下"ＤＯＥ"と略される回折光学素子。ＤＯＥはＸ線源にさらされる、すなわち、Ｘ線源がアクティブである場合にＸ線源の放射によって衝突されるように配置される。
ｃ）ＤＯＥによって生成される干渉パターンを検出するためのＸ線検出器。この目的のため、Ｘ線検出器はＸ線源の視点から見てＤＯＥの後ろに配置される。
ｄ）ＤＯＥの周期に対応する（例えばＤＯＥの周期のほぼ二倍）、この検出器の空間感度を調節するためにＸ線検出器の前に配置されるアナライザ。こうしたアナライザの適用は、特に通常のＸ線感受性素子（例えば関連光検出器を備えるシンチレータを有するピクセル、又は直接変換材料を有するピクセル）と併せて有用であるが、これは通常のＸ線感受性素子が典型的に干渉パターンのピッチよりもかなり大きいサイズを持つためである。この場合、アナライザは干渉パターンの周期によって与えられる限度にＸ線検出器の空間分解能を増加させるために使用されることができる。アナライザは例えばＵＳ  ２００７／０１８３５８０  Ａ１に記載されているような吸収格子又はシンチレーション構造によって実現され得る。
【０００７】
さらに、Ｘ線装置は次の特徴を持つものとする。
Ｘ線源、Ｘ線検出器、並びに、ＤＯＥ及びアナライザのうちの一方（のみ）は、対象物が置かれることができる中心領域に対して回転軸周りに共通に回転可能である。ＤＯＥ又はアナライザのいずれかはかかる回転に参加しないので（そうではなく通常は対象物に対して静止している）、ＤＯＥとアナライザの間には相対的回転がある。さらに、Ｘ線源、Ｘ線検出器、及びＤＯＥ／アナライザの回転は中心領域のみに対することに留意すべきである。すなわち、環境に対して、列挙された構成要素は静止し得る（一方対象物を有する中心領域は絶対運動をする）。
ＤＯＥ及びアナライザは、これらが互いに対して回転軸周りに回転されるときに変化する相対位相及び／又は相対周期を持つ。この文脈において"位相"及び"周期"とは、それぞれＤＯＥ及びアナライザの光学活性構造、例えば線格子の場合は平行線のパターンをあらわす。さらに、この変化は、ＤＯＥ又はアナライザ上の少なくとも１つの固定位置と、他の光学素子上の対応する最近点（上記最近点は素子の相対的回転に従って変化する）について判断される。
【０００８】
Ｘ線源、Ｘ線検出器、及び、ＤＯＥ又はアナライザを対象物に対して回転させることによって、該装置は異なる方向から対象物のＸ線投影画像を生成することを可能にする。ＤＯＥ及びアナライザは互いに対して回転するので、ＤＯＥとアナライザ間の相対位相及び／又は周期はかかる収集手順中に対象物を通る所与の視線に対して変化する。従ってＤＯＥとアナライザ間の相対シフトを単一の（回転）運動を介して実現することが可能である。この文脈において複数のＸ線源は、例えばＸ線源の各々が空間内の特定位置を通過する際にこれを活性化することによって、所与の視線に沿ってＤＯＥとアナライザの異なる相対位置でＸ線投影画像を連続的に収集することを可能にする。
【０００９】
該装置の"回転"イメージングは、例えば対象物を固定イメージング装置に対して回転させることによって、イメージング装置を静止対象物に対して回転させることによって、又は固定ハードウェアにおける画像生成作用（例えばアクティブなＸ線源又は読み出しピクセル）を静止対象物に対して回転させることによって実現され得ることに留意すべきである。考察を簡略化するため、以下、通常は一般性を失うことなく、Ｘ線源、Ｘ線検出器、及びＤＯＥ／アナライザは環境に対して回転し、一方対象物を有する中心領域は静止しているものとする。
【００１０】
原則として、Ｘ線検出器は対応する感受性領域における測定を行うことを可能にする１つの単一の感受性素子を持ち得る。しかしながら、好ましくは検出器は複数のＸ線感受性素子（ピクセル）を持つアレイ、特に一次元又は二次元のアレイを有する。そして測定は複数の位置において同時に行われることができ、例えば空間分解二次元投影画像を一段階でサンプリングすることを可能にする。
【００１１】
回折光学素子ＤＯＥはＸ線を照射されるときに所望の干渉パターンを生成することができるいかなる装置であってもよい。好ましくは、ＤＯＥは位相格子、すなわち、その線が、無視できるほどの吸収を持つがかなりの位相シフトを持ち、従ってＸ線光子の損失を最小限にするような格子を有する。
【００１２】
回転軸周りの相対的回転に関するＤＯＥとアナライザ間の可変位相及び／又は周期は、多くの方法で実現され得る。好ましい実施形態において、ＤＯＥ及びアナライザは同一又は同様のパターン、例えば所与の周期で繰り返される平行線の格子を有し、これらのパターンのうちの第一のパターンにおいて回転軸に垂直な面に対して（わずかに）傾斜される。従ってパターン間の相対位相は、傾斜された第一のパターンが回転軸周りに回転する場合、連続的に変化する。第二のパターンは回転軸に対して回転的に不変であるように方向付けられ得るか、又は同様に回転軸に垂直な面に対して傾斜され得る。後者の場合、第二のパターンの傾斜は第一のパターンの傾斜とは異なり得る（すなわち、２つのパターンは互いに対しても傾斜される）。しかし好ましくは、この傾斜は第一のパターンと同じである。なぜならこの場合ＤＯＥとアナライザが任意の時点に対して回転軸周りの外周に沿って一定の相対位相及び／又は周期を持つためである。
【００１３】
Ｘ線装置の別の実施形態において、ＤＯＥ又はアナライザはリング上で回転軸周りに円周方向にのびる。こうした閉リングの設計は、好ましくは、Ｘ線源及びＸ線検出器と共通に回転しない構成要素（ＤＯＥ又はアナライザ）に対して選ばれる。そしてこの構成要素は、これが永久的にＸ線源から検出器への光路内にあるように、環境に対して静止し得る（これは機械的に最も簡単な解決法である）。この場合対象物の投影画像は全３６０°範囲で生成されることができる。
【００１４】
前述のリング状のＤＯＥ又はアナライザの場合においては、Ｘ線が対象物の（前ではなく）後ろでのみ上記リングを通過することに注意すべきである。この目的のため、Ｘ線源は好ましくは上記リングに対して軸方向に（すなわち回転軸に沿って）シフトされて配置され、その放射は中心領域に向かって傾斜される。付加的に又は代替的に、Ｘ線源は上記ＤＯＥ又はアナライザリングの内部に配置され得る。
【００１５】
少なくとも２つのＸ線源は好ましくは回転軸周りの円弧上に配置される。これはイメージング装置が回転する際、２つのＸ線源が中心領域／対象物に対して連続的に同じ位置を取ることを保証する。従って２つのＸ線源は対象物に対して全く同じ視角からＸ線投影を生成することができる。
【００１６】
Ｘ線源は、標的に衝突させられるときにＸ線を生成する電子を放出するためのカーボンナノチューブを備える少なくとも１つのカソードを随意に有し得る。カーボンナノチューブは、小型設計で高速スイッチング時間を可能にする優れた電子放出材料であることが示されている。従って例えば複数のカソードを備えるＸ線源及び／又は固定ＣＴスキャナを構築することが可能である。カーボンナノチューブと、これらを用いて構築されることができるＸ線源についてのさらなる情報は文献において見られる（例えばＵＳ  ２００２／００９４０６４  Ａ１，ＵＳ  ６  ８５０  ５９５、又はＧ．Ｚ．Ｙｕｅ  ｅｔ  ａｌ．，"Ｇｅｎｅｒａｔｉｏｎ  ｏｆ  ｃｏｎｔｉｎｕｏｕｓ  ａｎｄ  ｐｕｌｓｅｄ  ｄｉａｇｎｏｓｔｉｃ  ｉｍａｇｉｎｇ  ｘ‐ｒａｙ  ｒａｄｉａｔｉｏｎ  ｕｓｉｎｇ  ａ  ｃａｒｂｏｎ‐ｎａｎｏｔｕｂｅ‐ｂａｓｅｄ  ｆｉｅｌｄ‐ｅｍｉｓｓｉｏｎ  ｃａｔｈｏｄｅ"，Ａｐｐｌ．Ｐｈｙｓ．Ｌｅｔｔ．８１（２），３５５‐８（２００２）、これらは参照により本文に含まれる）。
【００１７】
Ｘ線装置はさらに、第一のＸ線源と第二のＸ線源がそれぞれ中心領域に対して所与の空間位置を通過するときに、Ｘ線被爆の収集を引き起こすための制御装置を随意に有し得る。従って、同様の視角を持つが、ＤＯＥ及びアナライザの異なる相対設定を持つＸ線投影が生成されることができる。
【００１８】
Ｘ線源がＤＯＥの後ろの干渉パターンの生成のために必要な時間的及び空間的コヒーレンスを持つべきであることは既に述べた。Ｘ線源は格子の前に配置される空間的に広がった放射体を随意に有してもよく、"〜の前"という語はＸ線源に位置する視点をあらわす。広がった放射体は、従来のＸ線源において使用されるような標準的なアノードであることができ、単独で空間的にインコヒーレントであり得る。格子の助けを借りて、放射体は各々が（その長さに垂直な方向に）空間的にコヒーレントである複数の線放射体に効果的に分割される。
【００１９】
Ｘ線装置は好ましくは、Ｘ線源とＤＯＥの間のＸ線の経路内に配置される、対象物によって生じる位相シフトを決定するための評価装置をさらに有する。評価装置は、専用電子機器、関連ソフトウェアを有するデジタルデータ処理ハードウェア、又は両者の混合物によって随意に実現され得る。評価装置は、対象物によって誘導される位相シフトと、ＤＯＥの後ろで観察されることができる干渉パターンに得られる変化との間に明確な関連性があるという事実を利用する。つまり、この関連性を反転させることは、対象物の所望の位相コントラスト画像を予測することを可能にする。
【００２０】
前述の実施形態のさらなる発展例において、評価装置はさらに、対象物の断面位相コントラスト画像を、異なる方向からとられた上記対象物の（位相コントラスト）投影から再構成するための再構成モジュールを有する。再構成モジュールは、吸収Ｘ線イメージングの分野の当業者に周知であるコンピュータ断層撮影（ＣＴ）のアルゴリズムを適用し得る。付加的に又は代替的に、再構成モジュールは異なる方向の投影から対象物の吸収画像を再構成するように適合され得る。
【００２１】
本発明はさらに、対象物の位相コントラスト画像を生成するための方法に関し、該方法は次のステップを有する。
ａ）複数のＸ線源から選択される第一のＸ線源で上記対象物を照射するステップ。
ｂ）対象物の後ろに配置される（"後ろ"という語は第一のＸ線源に位置する視点をあらわす）、"ＤＯＥ"と呼ばれる回折光学素子で干渉パターンを生成するステップ。
ｃ）Ｘ線検出器を用いて、ＤＯＥの周期に対応する、検出器の空間感度を調節するアナライザを通して、前述の干渉パターンをサンプリングするステップ。
ｄ）複数のＸ線源、Ｘ線検出器、及び、ＤＯＥ又はアナライザのいずれかを、対象物に対して回転軸周りに同調して回転させ、それによってＤＯＥ及びアナライザの相対位相及び／又は周期を変化させるステップ。
ｅ）複数のＸ線源から選択される第二のＸ線源を用いて、この第二のＸ線源が、前のステップａ）において第一のＸ線源によってとられた位置をとるときに、ステップａ）、ｂ）、ｃ）を繰り返すステップ。
【００２２】
Ｘ線装置は典型的にはプログラム可能であり、例えばマイクロプロセッサ又はＦＰＧＡを含み得る。従って、本発明はさらに、計算装置上で実行される際に本発明にかかる方法のいずれかの機能性を提供するコンピュータプログラムを含む。
【００２３】
さらに本発明は、コンピュータプロダクトを機械可読形式に保存し、データキャリア上に保存されたプログラムが計算装置上で実行される際に本発明の方法の少なくとも１つを実行する、例えばフロッピー（登録商標）ディスク、ハードディスク、又はコンパクトディスク（ＣＤ‐ＲＯＭ）といったデータキャリアを含む。
【００２４】
現在、こうしたソフトウェアはしばしばダウンロード用にインターネット又は企業イントラネット上で提供されており、故に本発明はまた、本発明にかかるコンピュータプロダクトをローカルエリアネットワーク又は広域ネットワークを介して送信することも含む。計算装置はパーソナルコンピュータ又はワークステーションを含み得る。計算装置はマイクロプロセッサ及びＦＰＧＡのうちの１つを含み得る。
【００２５】
上記の方法、コンピュータプログラム、データキャリア及び伝送手順は、不可欠な構成要素として上記Ｘ線装置のコンセプトを有する。従ってこれらの要素の詳細、利点、及び変更についてのさらなる情報については上記の説明が参照される。
【００２６】
本発明のこれらの及び他の態様は、以下に記載される実施形態（群）から明らかとなり、これらを参照して説明される。これらの実施形態は添付の図面の助けを借りて例として説明される。
【図面の簡単な説明】
【００２７】
【図１】図１は本発明にかかる回転Ｘ線装置を図２のｙ軸に沿った断面で概略的に示す。
【図２】図２は該Ｘ線装置を斜視図で概略的に示す。
【図３】図３は対象物の第一の投影が第一のＸ線源で生成される第一の時点における該Ｘ線装置を上面図で概略的に示す。
【図４】図４は同じ視角から対象物の第二の投影が第二のＸ線源で生成されるさらに後の時点における図３と同じ装置を示す。
【図５】図５は互いに対して傾斜されたＤＯＥとアナライザを図示する。
【図６】図６は相対位相シフトの離散的段階を持つＤＯＥとアナライザを図示する。
【図７】図７は回転軸に垂直な面に対して同様に傾斜された、２つの異なる時点におけるＤＯＥとアナライザを図示する。
【発明を実施するための形態】
【００２８】
図面中の類似する参照数字は同一又は同様の構成要素をあらわす。
【００２９】
位相コントラストＸ線イメージングは、Ｘ線が対象物を通過する際のＸ線の位相シフトの測定を目的とする。位相敏感測定の利点は、位相コントラストが吸収コントラストよりも桁違いに高い可能性があることである（Ａ．Ｍｏｍｏｓｅ，"Ｐｈａｓｅ  ｓｅｎｓｉｔｉｖｅ  ｉｍａｇｉｎｇ  ａｎｄ  ｐｈａｓｅ  ｔｏｍｏｇｒａｐｈｙ  ｕｓｉｎｇ  Ｘ‐ｒａｙ  ｉｎｔｅｒｆｅｒｏｍｅｔｅｒｓ"，Ｏｐｔｉｃｓ  Ｅｘｐｒｅｓｓ  １１（１９），２００３；Ｔ．Ｗｅｉｔｋａｍｐ  ｅｔ  ａｌ．，"Ｘ‐ｒａｙ  ｐｈａｓｅ  ｉｍａｇｉｎｇ  ｗｉｔｈ  ａ  ｇｒａｔｉｎｇ  ｉｎｔｅｒｆｅｒｏｍｅｔｅｒ"，Ｏｐｔｉｃｓ  Ｅｘｐｒｅｓｓ  １３（１６），２００５参照）。当初、位相敏感法の主な欠点は、非常に狭い帯域幅を持つＸ線源が必要とされることであった。しかしながらこの欠点は１０％‐２０％の帯域幅を実現する特殊フィルタとともに標準Ｘ線管を用いることによって克服されることができた（Ｆ．Ｐｆｅｉｆｆｅｒ  ｅｔ  ａｌ．，"Ｐｈａｓｅ  ｒｅｔｒｉｅｖａｌ  ａｎｄ  ｄｉｆｆｅｒｅｎｔｉａｌ  ｐｈａｓｅ  ｃｏｎｔｒａｓｔ  ｉｍａｇｉｎｇ  ｗｉｔｈ  ｌｏｗ‐ｂｒｉｌｌｉａｎｃｅ  Ｘ‐ｒａｙ  ｓｏｕｒｃｅｓ"，Ｎａｔｕｒｅ  Ｐｈｙｓｉｃｓ  ２，ｐｐ２５８‐２６１，２００６参照）。位相ステッピングと組み合わされると、多色Ｘ線源を用いながら位相敏感測定及び総Ｘ線吸収情報が得られる。
【００３０】
既知の装置でＸ線の位相を測定するために、各幾何学的光線の少なくとも３つの単独測定が必要とされ、複数の格子のうちの少なくとも１つは、その格子定数の比率で光軸に垂直に移動させられなければならない。断層撮影は回転対象物を用いてこれらのアプローチにおいて実行され得、測定は測定装置の固定相対位置においてなされる。しかしながら、医療断層撮影システムの場合、データ収集は対象物（患者）の周りを連続的に回転するシステムを用いて実行されることが必須である。さらに、医療断層撮影システムにおいては、格子移動が正確に実行されるだけでなく、かなり高速で実行される必要があり、これは実行が非常に難しい。
【００３１】
図１から図４は、上記の問題を扱うＸ線装置１００を図示する。Ｘ線装置１００はＸ線放射を生成するためのＸ線源モジュール１０を有する。Ｘ線源モジュール１０はケーシング内に複数の空間的に広がったＸ線源１１，１１'を有し、これらは例えば"広帯域"Ｘ線源の焦点（アノード）によって実現されることができ、通常は光軸（ｙ軸）に垂直な数ミリメートルの延長部を持つ。さらに、高速スイッチングで大きなアノードを備える管設計を可能にすることから、カーボンナノチューブ（ＣＮＴ）が対応するカソードのために使用されることが好ましい。格子Ｇ０は、各々が横断（ｚ）方向に空間的にコヒーレントである線へと放射を分割するために、Ｘ線源１１，１１'の前に配置される。このアプローチについてのさらなる詳細は文献（例えば上記のＰｆｅｉｆｆｅｒ  ｅｔ  ａｌ．）に見られる。
【００３２】
明確さを目的として、格子Ｇ０の１つのスリットの向こう側にｙ方向に伝播する１つの円筒波のみが図１に図示される。円筒波は、装置１００によって画像化される、中心領域（ｘ，ｙ，ｚ座標系の原点の周囲）に位置する例えば患者の身体などの対象物１を通過する。対象物１の材料はＸ線波に位相シフトを誘導し、対象物１の後ろに変更された（撹乱された）波面をもたらす。従って、光（ｙ）軸に垂直な各位置ｚに対して、位相シフトΦ（ｚ）は対応するＸ線経路に沿った材料特性に特徴的な波面に関連する。完全関数Φは関心のある対象物１の位相コントラスト投影画像である。
【００３３】
位相シフト関数Φを決定するために、回折光学素子（ＤＯＥ）が対象物１の後ろに配置される。示された実施例において、このＤＯＥは光軸に垂直に広がるビームスプリッタ位相格子Ｇ１によって実現される（そのスリットは線源格子Ｇ０のスリットに平行である）。格子Ｇ１は、透過幾何学、すなわち対象物側と反対の空間において、干渉パターンを生成する。この干渉パターンは、固定座標ｙ及びｘにおいて強度関数Ｉ（ｚ，Φ）によって特徴付けられることができる。
【００３４】
ＤＯＥ格子Ｇ１からの所定距離において、干渉パターンは図１に概略的に図示されるような強度の最大値と最小値の周期パターンに対応する。そしてこの干渉パターンをＸ線検出器３０で測定することは、対象物１によって導入された位相シフトΦ（ｚ）を推測することを可能にする。
【００３５】
しかし実際には、格子Ｇ１から離れた干渉パターンＩの測定は、２つの隣接する最大値又は最小値間の距離によって決定される所要空間分解能が、通常のＸ線検出器の感受性素子又はピクセル３１のサイズよりもはるかに小さいので、簡単な作業ではない。この問題に対処するために、検出器ピクセル３１のすぐ前にアナライザを置くことが文献において提案されている。このアナライザはここでは対象物の後ろの格子Ｇ１と基本的に同じ周期を持つ吸収格子Ｇ２によって実現される。吸収格子Ｇ２は小さな窓を与える効果を持ち、これを通して検出器は、周期的干渉パターンＩの対応する小区分、例えば最大値の周囲の小領域を"見て"、こうしてこれらの小区分における強度を効果的に測定する。アナライザ格子Ｇ２をｚ方向にシフトすることによって、干渉パターンは複数の位置においてサンプリングされ得、これは干渉パターンを局所Ｘ線吸収とともに完全に再構成することを可能にする。かかる格子ステッピングアプローチの問題は、これが複雑で正確な機構を必要とすることである。この問題を回避するために、回転Ｘ線装置１００は次の特徴を実現する。
Ｘ線装置１００は、回転軸Ａ（図面におけるｚ軸）周りの円弧上に配置される複数のＸ線源１１，１１'を有する。
Ｘ線源１１，１１'、ピクセル化Ｘ線検出器３０、及びアナライザ格子Ｇ２は回転ガントリ２０に取り付けられる。
位相格子Ｇ１は固定され、対象物１を有する中心領域の周りに完全なリング（図面には部分的にしか示されていない）としてのびる。
位相格子Ｇ１とアナライザ格子Ｇ２の相対的パターン位相は回転軸Ａ周りに円周方向に変化する。
【００３６】
図２は前述の構成要素の相対的空間配置を概略的斜視図で図示する。ＤＯＥ  Ｇ１が３６０°に及ぶ完全なリングであるとき、Ｘ線ビームは線源格子Ｇ０を通過しなければならないが、線源側のＤＯＥ格子Ｇ１は通過してはならない。これは、わずかなアキシャルオフセットで（第４世代ＣＴガントリと同様）、又は、静止位相格子リングの内側に小さな、おそらくＣＮＴベースの放射体を置くことによって、実施される。
【００３７】
図３及び図４は上記Ｘ線装置１００の動作をより詳細に図示する。図３では、固定部品（位相格子Ｇ１及び対象物１）に対するガントリ部品（Ｘ線源１１，１１'、検出器３０、アナライザＧ２）の位置が第一の時点ｔ１において示される。第一のＸ線源１１はこの場合制御及び評価装置４０によって活性化され、特定の視角から対象物１を照射し、検出器３０の反対側の部分に投影画像を生成する。位相格子Ｇ１及びアナライザＧ２はこの時点において特定の相対角度位置をとる。
【００３８】
図４はさらに後の時点ｔ２における同じ構成要素を示す。ガントリ２０は角度Δφだけ回転しており、第二のＸ線源１１'は、第一のＸ線源１１が時間ｔ１においてとっていた空間位置をとるようになっている。従って、第二のＸ線源１１'が制御及び評価装置４０によって活性化されると、これは第一のＸ線源１１が時間ｔ１において照射したのと同じ視角から（静止）対象物１を照射することになる。しかしながら位相格子Ｇ１とアナライザＧ２の間の相対位置は、二回目の被爆において回転角度Δφによって変化している。位相格子Ｇ１とアナライザ格子Ｇ２の適切な設計により、この格子の相対移動は、位相ステッピングを伴う位相コントラストイメージングに必要な格子の相対シフトを実現することができる。
【００３９】
第三のＸ線源１１"によって図４に示される通り、複数のＸ線源は、これらが検出器上で相互に離れた感受性領域を照射するために十分な角距離を持つ場合、同時被爆及び検出器読み出しに同時に作用し得る。
【００４０】
図５は、位相格子Ｇ１とアナライザ格子Ｇ２の第一の可能な実現を図示する。両格子は平行線のパターンによって規定される（位相格子Ｇ１の場合は位相シフト線、アナライザＧ２の場合は吸収線）。これらの線は同じ周期を持つが、これらはスライス方向から外へ互いに対してわずかに傾斜される。より具体的には、回転された格子（この場合はアナライザＧ２）の線は回転軸Ａに垂直な（ｘ，ｙ）面に対して傾斜され（さもなければ線の回転は何も変化させない）、一方固定格子（Ｇ１）の線はこの面に平行であり得る。
【００４１】
図面は、前述の角度Δφについての２つの格子間の相対的回転が、線パターンの相対位相を変化させることを示す。傾斜は、Ｘ線源によってカバーされる角度による回転が、１つの格子定数のアナライザ及び位相格子の相対シフトをもたらすように選択される。特定の視角からの位相コントラスト画像の再構成のために、位相格子Ｇ１及びアナライザ格子Ｇ２の異なる相対位相を持つ数Ｎの（通常は３又は８の）投影が作られなければならない。従って格子の傾斜は、線パターン間の全周期シフトの１／Ｎ番目がガントリの各回転ステップΔφ後になされるように選ばれる。
【００４２】
図６は、アナライザ格子Ｇ２の線が離散的段階でｚ方向にシフトされる、位相格子Ｇ１とアナライザＧ２の代替的な実施形態を図示する。
【００４３】
図７は位相格子Ｇ１とアナライザＧ２の第三の実施形態を２つの時点ｔ１，ｔ２に対して図示する。この場合両格子は回転軸Ａ（ｚ軸）に垂直な（ｘ，ｙ）面に対して同様に（すなわち同じ角度だけ）傾斜される。従って回転角度Δφに対するアナライザＧ２のシフトは、全検出器領域にわたって均一に２つの格子間の相対位相を時点ｔ１から時点ｔ２へ変化させる。この状態の空間的均一性は、特定時点において収集される投影を用いるその後の再構成手順を容易にする。
【００４４】
要約すると、位相ステッピングを伴う微分位相コントラストＣＴのための幾何学及び装置が提案され、ここではガントリの回転のみが機械的に実現され、さらなる機械的に動かされる部分が必要ない。該装置は、固定子に取り付けられる位相格子リングＧ１と、回転ガントリに取り付けられるアナライザ格子Ｇ２を使用する。両格子Ｇ１，Ｇ２をわずかな角度だけ傾斜させることによって、格子の相対シフトがガントリ自体の回転によって実施される。ガントリの直径上に分布する複数のＸ線源１１，１１'は、位相格子とアナライザ格子の異なる相対位置で同じ回転角度を撮像する。収集及び再構成のために、ガントリは回転され、一方Ｘ線源は高速で切り替えられ、回転に同期される。線源と検出器の各組み合わせは、収集されるラドン投影空間に寄与し得る。加えて、同じラドン角度下において、異なる線源はアナライザ格子と位相格子の異なる相対位置で同じ投影を収集する。投影をソートすることで、格子の異なる相対シフト全てに対するラドン空間をもたらし、これは再構成への入力となる。
【００４５】
最後に、本願において"有する"という語は他の要素又はステップを除外するものではなく、"ａ"又は"ａｎ"とは複数形を除外するものではなく、単一のプロセッサ又は他の装置が複数の手段の機能を満たし得ることが指摘される。本発明は、新たな特徴的機構の一つ一つ、及び特徴的機構のありとあらゆる組み合わせに存在する。さらに、請求項における参照符号はその範囲を限定するものと解釈されてはならない。
【図１】
0005539307.tif 000002
【図２】
0005539307.tif 000003
【図３】
0005539307.tif 000004
【図４】
0005539307.tif 000005
【図５】
0005539307.tif 000006
【図６】
0005539307.tif 000007
【図７】
0005539307.tif 000008